(57)【要約】  【課題】  音声がはっきりと相手に伝わり、頬の部分を紫外線から保護する作用を具え、且つ余剰の材質を省き製造コストを節減するとともに、着脱自在に設ける口マスクを固定するバンドの長さが簡易な操作で自在に調整できる鼻マスクを提供する。  【解決手段】  可撓性を有する材質によってなり、鼻の部分を被覆する撓み部と、該撓み部の両側に連接する被覆部と、該被覆部の両端縁部に設ける耳かけとによって構成し、且つ該撓み部及び／もしくは被覆部の下端縁部に圧接孔を形成し、別途可撓性を有する材質によって口マスク本体を形成し、該口マスク本体の上端縁部に該被覆部の圧接孔に対応する係止突起を形成し、該口マスク本体を該鼻マスク本体に着脱自在に設ける。また、口マスク本体を固定する下部バンドを、鼻マスク本体を固定する上部バンドの外面に着脱自在に接続する。【選択図】  図４  
0003102559.tif 000002
【実用新案登録請求の範囲】
【請求項１】
可撓性を有する材質層によって形成される鼻マスク本体を有する鼻マスクにおいて、
該鼻マスク本体は、撓み部と、該撓み部の両側面に連接する被覆部と、該被覆部の両端縁部に設けられる耳かけ部とによってなり、
該耳かけ部を使用者の耳の所定の位置にかけた場合、該撓み部が使用者の鼻の部分を被覆し、該被覆部が使用者の頬の部分を被覆するように構成することを特徴とする鼻マスク。
【請求項２】
前記撓み部は、外表面層と、内表面層とを互いに分離するように設け、該外表面層と、内表面層とによって袋状の収納空間を形成し、該収納空間に濾過材を充填するか、もしくは植え込み、または濾過層を設けることを特徴とする請求項１に記載の鼻マスク。
【請求項３】
前記撓み部の可撓性を該被覆部よりも大きくなるようにすることを特徴とする請求項１に記載の鼻マスク。
【請求項４】
前記鼻マスク本体の両方の端縁部に垂直方向の切り込みを形成するか、もしくは孔部を形成して該耳かけを貫通させることを特徴とする請求項１に記載の鼻マスク。
【請求項５】
前記被覆部の該撓み部に近接する部分の底辺は、傾斜した円弧線で輪郭を描くように形成されることを特徴とする請求項１に記載の鼻マスク。
【請求項６】
前記被覆部か、もしくは撓み部の下方の位置に、可撓性を有する材質を幾何形状に形成してなる口マスク本体を接続することを特徴とする請求項１に記載の鼻マスク。
【請求項７】
前記被覆部、及び／もしくは撓み部の下方の所定の位置に、少なくとも１以上の硬質の特性を有する該凹溝か、もしくは圧接孔を形成し、該口マスク本体の上端縁部で、該凹溝か、もしくは圧接孔に対応する位置に硬質の特性を有するフランジか、もしくは係止突起を形成し、口マスク本体を該鼻マスク本体に着脱自在に設けることを特徴とする請求項６に記載の鼻マスク。
【請求項８】
前記口マスク本体の底部には、隠蔽、もしくは非隠蔽のいずれかの方式で折り返し収納部を形成し、該下部バンドを貫通させることを特徴とする請求項６に記載の鼻マスク。
【請求項９】
前記下部バンドは、弾性を有する材質によってなり、該口マスク本体底部に形成する折り返し収納部に貫通させて設けるとともに、両端縁部の内面に接着領域を形成し、
該上部バンドは、両端縁部に接着面を形成するとともに、鼻マスク本体の両端縁部に接着領域を形成し、該上部バンドの接着面を該鼻マスク本体の接着領域に接着させて上部バンドを該鼻マスク本体に設け、
更に、該上部バンドの外面の所定の位置に別途接着領域を形成し、該下部バンドの接着領域を連結できるように構成することを特徴とする請求項８に記載の鼻マスク。
【考案の詳細な説明】
【技術分野】
【０００１】
この考案は、マスクに関し、特に通過する空気を濾過する鼻マスクと口マスクとをまとめたものであって、該鼻マスクと口マスクとを連結するか、否かを選択できる構造の鼻マスクに関する。
【背景技術】
【０００２】
人体の口、鼻の部位を被覆し、塵埃や空気中の汚染物の進入を防ぐマスクの構造は、既に周知の技術になっている。例えば、特許文献１には使い捨てタイプのマスクと、その製造方法が開示される。該特許は典型的なマスクの構造をまとめたものであって、口の部分に接する被覆シートと、伸縮性を有する不織布によってなり、該シートの両側縁部に設けられ、且つ耳にかけるための切り込みか、もしくは孔部が形成された耳かけシートとによって構成されるマスクを提供する。従来のマスクの構造においても、該耳かけシートと同様の作用が得られる弾性を有する紐を設ける。基本的には、該特許は使い捨てタイプのマスクを提供するものである。よって、単一の薄いシート材によってマスクを構成し、製造コストを低下させるべく設計されている。
【０００３】
従来のマスクにおいて、例えば特許文献２は、頭部に着ける部材を具え、顔の半分を覆うマスクを提供するものであって、即ち、該特許に開示されるマスクは前記耳かけシート、もしくは従来の弾性を有する紐の長さを調整できるマスクである。該マスクは、マスク本体が鼻と口の部分を被覆する場合、頭部に位置する支持部を具え、該マスク本体と支持部の側面の対応する位置に少なくとも２本の上バンドと下バンドで連結し、これらバンドを固定するか、もしくは長さを調整できるように構成する。即ち、該支持部は長さ調整手段と、上バンドと、及び連続的に整合されるバンド本体、支持冠、頭部キャップを含む下バンドを具え、該上バンドと下バンドとの距離を自在に調整できる手段を構成する。従って、該特許によるマスクは比較的複雑な構造を有する。
【０００４】
まとめて述べれば、これら従来の技術に見られる様々な口マスク、もしくは鼻マスクなどは口、もしくは鼻を被覆するための従来の技術に属し、その効果は塵埃、もしくは空気中の汚染物の人体への進入を抑制することにあることは公知の事実である。但し、その他課題が存在するか、否かは未だに討論され、解決策が提示されていない。例えば、より単純な構造で重複して使用できるマスクを構成したり、支持バンドの距離を自在に調整できる機能を設けたりすること、または上記特許文献２に開示されるような顔の半分を覆うマスクの構造などが挙げられる。
【０００５】
従来のマスクの形状について言えば、紫外線に長期間晒される使用者が使用した場合、顔にしみが発生する。但し、これを防ぐための手段については提議、もしくは開示されていない。
【０００６】
また、実際にマスクを着けて人と話す場合、発生する音声が聞き取りにくくなる。上下バンドの距離が固定されている場合を除き、一旦マスクを外しかけなおす場合、調整手段によって上下バンドの距離を調整し直さなければならない。
【０００７】
また、上述する長さの調整にかかる操作について、関連する２つの派生的な課題が存在する。即ち、長さの調整が便利であるか、否か、またその構造について、口を被覆する部分と、鼻を被覆する部分を着脱自在にできるように構成するか、否かを考慮し、設計する必要がある。これは上述するマスクの特定の使用状況において、その操作性を改善することになる。但し、係る課題は従来の特許などの先行技術において提議されることなく、また開示されていない。
【特許文献１】台湾特許出願第９０１０１５２７号
【特許文献２】台湾特許出願第９０１０５３９６号
【考案の開示】
【考案が解決しようとする課題】
【０００８】
この考案は、マスク本体を固定するバンドの長さの調整が便利な鼻マスクを提供することを課題とする。
【０００９】
またこの考案は、口マスク本体を着脱自在に設けることによって使用者が音声をはっきりと相手に伝えることのできる鼻マスクを提供することを課題とする。
【００１０】
またこの考案は、頬の部分を紫外線から保護することのできる鼻マスクを提供することを課題とする。
【課題を解決するための手段】
【００１１】
そこで、本考案者は従来の技術に見られる欠点に鑑み鋭意研究を重ねた結果、可撓性を有する材質によってなり、鼻の部分を被覆する撓み部と、該撓み部の両側に連接する被覆部と、該被覆部の両端縁部に設ける耳かけによって構成し、且つ該撓み部及び／もしくは被覆部の下端縁部に凹溝か、もしくは圧接孔を形成し、別途可撓性を有する材質によって口マスク本体を形成し、該口マスク本体の上端縁部に該被覆部の凹溝、もしくは圧接孔に対応するフランジ、もしくは係止突起を形成し、該口マスク本体を該鼻マスク本体に着脱自在に設けてなる鼻マスクの構造によって課題を解決できる点に着眼し、かかる知見に基づいて本発明を完成させた。
【００１２】
以下、この考案について具体的に説明する。
請求項１に記載する鼻マスクは、可撓性を有する材質層によって形成される鼻マスク本体を有する鼻マスクにおいて、
該鼻マスク本体は、撓み部と、該撓み部の両側面に連接する被覆部と、該被覆部の両端縁部に設けられる耳かけ部とによってなり、
該耳かけ部を使用者の耳の所定の位置にかけた場合、該撓み部が使用者の鼻の部分を被覆し、該被覆部が使用者の頬の部分を被覆するように構成する。
【００１３】
請求項２に記載する鼻マスクは、請求項１における撓み部について、外表面層と、内表面層とを互いに分離するように設け、該外表面層と、内表面層とによって袋状の収納空間を形成し、該収納空間に濾過材を充填するか、もしくは植え込み、または濾過層を設ける。
【００１４】
請求項３に記載する鼻マスクは、請求項１における撓み部の可撓性を該被覆部よりも大きくなるようにする。
【００１５】
請求項４に記載する鼻マスクは、請求項１における鼻マスク本体の両方の端縁部に垂直方向の切り込みを形成するか、もしくは孔部を形成して該耳かけを貫通させる。
【００１６】
請求項５に記載する鼻マスクは、請求項１における被覆部の該撓み部に近接する部分の底辺が、傾斜した円弧線で輪郭を描くように形成される。
【００１７】
請求項６に記載する鼻マスクは、請求項１における被覆部か、もしくは撓み部の下方の位置に、可撓性を有する材質を幾何形状に形成してなる口マスク本体を接続する。
【００１８】
請求項７に記載する鼻マスクは、請求項６における被覆部、及び／もしくは撓み部の下方の所定の位置に、少なくとも１以上の硬質の特性を有する該凹溝か、もしくは圧接孔を形成し、該口マスク本体の上端縁部で、該凹溝か、もしくは圧接孔に対応する位置に硬質の特性を有するフランジか、もしくは係止突起を形成し、口マスク本体を該鼻マスク本体に着脱自在に設ける。
【００１９】
請求項８に記載する鼻マスクは、請求項６における口マスク本体の底部には、隠蔽、もしくは非隠蔽のいずれかの方式で折り返し収納部を形成し、該下部バンドを貫通させる。
【００２０】
請求項９に記載する鼻マスクは、請求項８における下部バンドが、弾性を有する材質によってなり、該口マスク本体底部に形成する折り返し収納部に貫通させて設けるとともに、両端縁部の内面に接着領域を形成し、
該上部バンドは、両端縁部に接着面を形成するとともに、鼻マスク本体の両端縁部に接着領域を形成し、該上部バンドの接着面を該鼻マスク本体の接着領域に接着させて上部バンドを該鼻マスク本体に設け、
更に、該上部バンドの外面の所定の位置に別途接着領域を形成し、該下部バンドの接着領域を連結できるように構成する。
【考案の効果】
【００２１】
本考案の鼻マスクは、口マスク本体を着脱自在に設けることによって、人と話す場合など必要に応じて口マスク本体を外し、音声をはっきりと相手に伝えることができるという利点がある。
【００２２】
また本考案の鼻マスクは、頬の部分を紫外線から保護する作用を具え、且つ余剰の材質を省き、製造コストを節減することができるという利点がある。
【００２３】
また本考案の鼻マスクは、着脱自在に設ける口マスクを固定するバンドの長さが簡易な操作で自在に調整できるという利点がある。
【考案を実施するための最良の形態】
【００２４】
この考案は、通過する空気を濾過する鼻マスクと口マスクとをまとめたものであって、該鼻マスクと口マスクとを連結するか、否かを選択できる構造の鼻マスクを提供するものであって、可撓性を有する材質によってなり、鼻の部分を被覆する撓み部と、該撓み部の両側に連接する被覆部と、該被覆部の両端縁部に設ける耳かけによって構成し、且つ該撓み部及び／もしくは被覆部の下端縁部に凹溝か、もしくは圧接孔を形成し、別途可撓性を有する材質によって口マスク本体を形成し、該口マスク本体の上端縁部に該被覆部の凹溝、もしくは圧接孔に対応するフランジ、もしくは係止突起を形成し、該口マスク本体を該鼻マスク本体に着脱自在に設けて構成する。
係る構成の鼻マスクについて、その構造と特徴を詳述するために具体的な実施例を挙げ、以下に説明する。
【実施例】
【００２５】
図１、２に、この考案による鼻マスクを開示する。実施例において、鼻マスク本体（１０）は、可撓性を有する材質層を略矩形に形成するか、もしくは略矩形の輪郭を有する薄いシートである。また、鼻マスク本体（１０）は、中央の撓み部（１２）と、該撓み部（１２）を両側面に連接する被覆部（１１）とを具えてなり、実施例において、好ましくは該撓み部（１２）と被覆部（１１）とを糸で編んで接続する。また、撓み部（１２）の可撓性は被覆部（１１）よりも大きくし、鼻マスク本体（１０）を使用する場合、比較的大きな変形、もしくは伸展が得られるようにする。
【００２６】
撓み部（１２）は、図２に開示するように、複数層か、もしくは分離層によって構成する。即ち、外表面層（１２１）と、内表面層（１２２）とを具え、該外表面層（１２１）と、内表面層（１２２）とによって袋状の収納空間（１２３）を形成する。収納空間（１２３）には、濾過材を充填するか、もしくは植え込み、または濾過層（５０）を設け、撓み部（１２）に通過する空気を濾過し、塵埃などの進入を抑圧する作用を発生させる。
【００２７】
被覆部（１１）は、実施例において、好ましくは鼻マスク本体（１０）の両方の端縁部（１３）に垂直方向の切り込みを形成するか、もしくは図面に開示するように、孔部（１４）を形成する。該切り込み、もしくは孔部（１４）は、鼻マスク本体（１０）の両方の端縁部（１３）上に直接切り込みを形成するか、もしくは両方の端縁部（１３）をＵ字状に折り返して縫合し、耳かけ（１５）を貫通させるために供する。
【００２８】
図３に、この考案による鼻マスクの使用態様を開示する。即ち、耳かけ（１５）を使用者の耳朶（Ｘ）の位置にかけると、撓み部（１２）が使用者の鼻の部分を被覆する。この場合、被覆部（１１）は耳朶（Ｘ）の方向に向かって延伸し、使用者の頬の部分を被覆する。被覆部（１１）は紫外線を隔離する作用を具え、使用者が紫外線に長時間晒されることによって頬の部分にしみなどが発生する現象を改善することができる。よって、好ましくは被覆部（１１）の撓み部（１２）に近接した位置において、被覆部（１１）の底辺（１６）は、使用者の顔の頬か、もしくは法令線の形状に沿って傾斜した円弧線で輪郭を描く。このため、被覆部（１１）は使用者の頬の部分に密着して被覆することができる。
【００２９】
被覆部（１１）と撓み部（１２）とによってなる鼻マスク本体（１０）は、図４、５に開示するように、下端縁部に硬質の特性を有する凹溝か、もしくは圧接孔（１７）を形成し、口マスク本体（２０）を選択的に連結できるようにする。口マスク本体（２０）は、可撓性を有する材質層によってなるシートを幾何形状に形成して構成する。また、口マスク本体（２０）の上端縁部で、該凹溝、もしくは圧接孔（１７）に対応する位置に硬質の特性を有するフランジを形成するか、もしくは係止突起（２１）を形成する。該フランジ、もしくは係止突起（２１）を該凹溝、もしくは圧接孔（１７）に係合させた場合、口マスク本体（２０）と鼻マスク本体（１０）とによって使用者の鼻と口の部分を被覆することができ、且つ口マスク本体（２０）が着脱自在に設けられた状態になる。
【００３０】
口マスク本体（２０）の底部には、隠蔽、もしくは非隠蔽のいずれかの方式で折り返し収納部（２２）を形成する。折り返し収納部（２２）は、実施例において、好ましくは口マスク本体（２０）の底辺を内方向に折り返し、糸で編んで縫合し、水平方向の両端縁部が開口端となるように構成し、弾性を有する下部バンド（３０）を貫通させる。下部バンド（３０）は、折り返し収納部（２２）を貫通して設けられ、両方の端縁部（３１）に接着領域（３２）を形成する。
【００３１】
実施例において、好ましくは弾性を有する材質で上部バンド（４０）を形成し、鼻マスク本体（１０）の所定の位置に設ける。上部バンド（４０）は、両方の端縁部（４１）の内側の面に接着面（４２）を形成する。原則的には、鼻マスク本体（１０）の両端縁部（１３）にも接着領域（１８）を形成し、上部バンド（４０）の両端縁部に形成した接着面（４２）を接着して、上部バンド（４０）が鼻マスク本体（１０）と環状を呈するように設ける。また、上部バンド（４０）の外面の所定の位置には、別途少なくとも１以上の接着領域（４３）を形成し、下部バンド（３０）の接着領域（３２）が連結できるようにする。よって、口マスク本体（２０）は、所定の位置に固定させることができる。
【００３２】
従って、図６に開示するように、鼻マスク本体（１０）によって使用者の鼻と頬の部分を被覆する場合、口マスク本体（２０）は下部バンド（３０）の接着領域（３２）と、上部バンド（４０）の接着面（４２）とを接合させることによって、口マスク本体（２０）で使用者の口の部分を被覆することができる。
【００３３】
以上をまとめると、この考案による鼻マスクの構造は、顔の半分を覆うマスクに比して、一部の材料を省き特定の領域に材料を配置したものであって、次に掲げる条件を考慮に入れて考案した結果、同様に次に掲げる特徴を具えるように構成されている。
１）人体の顔の部分の頬の形状、もしくは輪郭に沿って鼻マスク本体（１０）の下方の部分に当たる材料を省き、底辺（１６）を傾斜した円弧線で描いた。このため、被覆部（１１）が使用者の頬の部分に密接して被覆することができる。
２）省いた材料は、撓み部（１２）の両側に配置して被覆部（１１）とした。よって、鼻マスク本体（１０）は矩形に形成され、使用者の頬の部分を被覆して、紫外線を隔離することができる。
３）鼻マスク本体（１０）の撓み部（１２）は、比較的大きな可撓性と、変形の許容量を具える。このため、使用者の鼻を十分に被覆することができる。また、外表面層（１２１）と、内表面層（１２２）とを具え、該外表面層（１２１）と、内表面層（１２２）とによって袋状の収納空間（１２３）を形成し、該収納空間（１２３）には、濾過材を充填するか、または濾過層（５０）を設ける。よって、従来の技術に比して更に大きな保護、もしくは濾過の効果が得られる。
４）鼻マスク本体（１０）の下端縁部に硬質の特性を有する凹溝か、もしくは圧接孔（１７）を形成し、口マスク本体（２０）の上端縁部で、該凹溝、もしくは圧接孔（１７）に対応する位置には、硬質の特性を有するフランジを形成するか、もしくは係止突起（２１）を形成し、口マスク本体（２０）を鼻マスク本体（１０）に着脱自在に設ける。係る構造は、鼻マスクの機能を高め、応用範囲を広げるものであって、使用者が人と話をする場合、使用者の音声をはっきりと相手に伝える場合に有効である。これは、従来の技術に見られない効果である。
５）口マスク本体（２０）に折り返し収納部（２２）を形成し、下部バンド（３０）を貫通させる。また、上部バンド（４０）、下部バンド（３０）は、いずれも弾性を有する材質によってなり、且つそれぞれ接着面（４２）、接着領域（４３）、接着領域（３２）などが形成される。よって、これらバンドの長さ、もしくはきつさを調整することができ、且つ着脱に便利である。
【００３４】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００３５】
【図１】この考案における鼻マスク本体の外観を示した斜視図である。
【図２】図１に開示する鼻マスク本体の水平方向の断面図である。
【図３】図１に開示する鼻マスク本体の使用態様を示した説明図である。
【図４】図１に開示する鼻マスク本体の口マスク本体を取り付けた状態を示した斜視図である。
【図５】図４に開示する状態における縦方向の断面図である。
【図６】この考案による鼻マスクであって、口マスク本体を併用した使用態様を示した説明図である。
【符号の説明】
【００３６】
１０  鼻マスク本体
１１  被覆部
１２  撓み部
１２１  外表面層
１２２  内表面層
１２３  収納空間
１３  端縁部
１４  孔部
１５  耳かけ
１６  底辺
１７  圧接孔
１８  接着領域
２０  口マスク本体
２１  係止突起
２２  収納部
３０  下部バンド
３１  端縁部
３２  接着領域
４０  上部バンド
４１  端縁部
４２  接着面
４３  接着領域
５０  濾過層
Ｘ  耳朶
【図１】
0003102559.tif 000003
【図２】
0003102559.tif 000004
【図３】
0003102559.tif 000005
【図４】
0003102559.tif 000006
【図５】
0003102559.tif 000007
【図６】
0003102559.tif 000008